(57)【要約】      （修正有）【課題】ケーブルの配線作業の際に、ケーブルを保持させるときの作業性が向上し、ケーブルを配線経路に沿って容易に配線することのできる電子機器を提供する。【解決手段】電子機器であるネットワークスピーカ用アンプ１は、ケーブル１５が接続される接続端子１０を備えた本体２と、本体２に開閉自在に取り付けられ接続端子１０を覆う端子カバー１２と、端子カバー１２に設けられケーブル１５が挿入されるケーブル挿入部と、ケーブル挿入部から接続端子１０までの配線経路に沿って配置される複数のケーブルガイド２２とを備える。ケーブル１５の配線作業を行う際に、ケーブル１５をケーブルガイド２２の保持レーンに保持させる。【選択図】図１
2008047799.tif 000002
【特許請求の範囲】
【請求項１】
ケーブルが接続される接続端子を備えた本体と、
前記本体に開閉自在に取り付けられ、前記接続端子を覆う端子カバーと、
前記端子カバーに設けられ、前記ケーブルが挿入されるケーブル挿入部と、
前記本体と前記端子カバーの一方または両方に設けられ、前記ケーブル挿入部から前記接続端子までの配線経路に沿って配置され、前記ケーブルを保持する保持レーンを有する複数のケーブルガイドと、
を備えたことを特徴とする電子機器。
【請求項２】
前記複数のケーブルガイドの各々は、複数の前記保持レーンを有することを特徴とする請求項１に記載の電子機器。
【請求項３】
前記ケーブル挿入部は、前記端子カバーの外部に向けて開口するケーブル入口と、前記端子カバーの内部に向けて開口するケーブル出口と、前記ケーブル入口から挿入された前記ケーブルを前記ケーブル出口へ案内する案内ダクトを備え、
前記案内ダクトは、前記端子カバーのカバー壁と、前記カバー壁の外側を覆う筒状の筒壁で構成され、
前記複数のケーブルガイドのうち、第１のケーブルガイドは、前記ケーブル挿入部のケーブル入口の近傍に配置されたことを特徴とする請求項１または請求項２に記載の電子機器。
【請求項４】
前記第１のケーブルガイドは、前記ケーブル挿入部のケーブル入口側において前記カバー壁に配置され、
前記複数のケーブルガイドのうち、第２のケーブルガイドは、前記ケーブル挿入部のケーブル出口側において前記筒壁に配置されたことを特徴とする請求項３に記載の電子機器。
【請求項５】
前記案内ダクトを構成する前記カバー壁には、前記ケーブル入口側から前記ケーブル出口側へ向けて高くなる逆勾配部が設けられたことを特徴とする請求項３または請求項４に記載の電子機器。
【請求項６】
前記保持レーンは、並設された複数の保持レーン板で構成され、
前記保持レーン板は、
隣接する前記保持レーン板の間隔が前記ケーブルの径より大きく設定され、前記ケーブルが挿通可能なケーブル保持部と、
隣接する前記保持レーン板の間隔が前記ケーブルの径より小さく設定され、挿通された前記ケーブルが抜けるのを防止するケーブル抜け防止部と、
を備えたことを特徴とする請求項１ないし請求項５のいずれかに記載の電子機器。
【請求項７】
前記保持レーン板のケーブル保持部は、前記ケーブルが屈曲したときに当接する当接部分に丸角形状部を備えたことを特徴とする請求項６に記載の電子機器。
【発明の詳細な説明】
【技術分野】
【０００１】
本発明は、接続端子を覆う端子カバーにケーブル挿入部を備えた電子機器に関し、特に挿入されたケーブルの保持機能を備えた電子機器に関するものである。
【背景技術】
【０００２】
従来、本体の内部にケーブルが挿入される電子機器においてケーブルを保持する構造として、本体ケースに切欠き部を設けたものが知られている（例えば特許文献１参照）。ケーブルには、線材保持具が取り付けられており、本体ケースの切欠き部は、線材保持具が収まるような細い溝状の形状を有している。
【０００３】
このような従来の電子機器において、本体ケースにケーブルを保持させるときには、まず、ケーブルに線材保持具を取り付けて、線材保持具の取り付け位置を調節する。その後、線材保持具を本体ケースの切欠き部に取り付けて、本体ケースに上ケースを被せるようにして取り付ける。
【特許文献１】実開平５−７９９８４号公報
【発明の開示】
【発明が解決しようとする課題】
【０００４】
しかしながら、従来の電子機器のケーブルの保持構造においては、本体ケースの一箇所に設けられた切欠き部だけでケーブルを保持しているので、本体ケースの内部においてケーブルを配線経路に沿って保持することができないという問題があった。また、従来のケーブル保持構造では、ケーブルを保持するために線材保持具という別部品を用意する必要があるので、部品点数が増加し、部品管理に手間がかかるという問題がある。また、従来のケーブルの保持構造では、予めケーブルに線材保持具を取り付けて、取り付け位置を調節する必要があり、線材保持具の取付け作業に手間がかかり、作業性が低いという問題があった。
【０００５】
本発明は、上記従来の問題を解決するためになされたもので、ケーブルの配線作業の際に、ケーブルを保持させるときの作業性が向上し、ケーブルを配線経路に沿って容易に配線することのできる電子機器を提供することを目的とする。
【課題を解決するための手段】
【０００６】
本発明の電子機器は、ケーブルが接続される接続端子を備えた本体と、前記本体に開閉自在に取り付けられ、前記接続端子を覆う端子カバーと、前記端子カバーに設けられ、前記ケーブルが挿入されるケーブル挿入部と、前記本体と前記端子カバーの一方または両方に設けられ、前記ケーブル挿入部から前記接続端子までの配線経路に沿って配置され、前記ケーブルを保持する保持レーンを有する複数のケーブルガイドと、を備えた構成を有している。
【０００７】
この構成により、複数のケーブルガイドが配線経路に沿って配置されているので、ケーブルガイドにケーブルを取り付けることにより、ケーブルを配線経路に沿って容易に配線することができる。この場合、ケーブルがケーブルガイドの保持レーンによって保持されるので、従来のような線材保持具を別途用意する必要がなく、線材保持具の分だけ部品点数が少なくて済み、部品管理の手間を削減することができる。また、従来のように予め線材保持具をケーブルに取り付けて、取り付け位置を調節する必要がなく、保持レーンにケーブルを保持させれば済むので、作業性が向上する。
【０００８】
また、本発明の電子機器では、前記複数のケーブルガイドの各々は、複数の前記保持レーンを有する構成を有している。
【０００９】
この構成により、各ケーブルガイドが複数の保持レーンを有しているので、複数本のケーブルを配線経路に沿ってまとめて保持することができる。この場合、複数本のケーブルを保持するために線材保持具を複数個用意する必要がなく、その分だけ部品点数が少なくて済み、部品管理の手間を削減することができる。また、複数の線材保持具をケーブルに取り付けて、それぞれ取り付け位置を調節する必要がなく、複数の保持レーンにケーブルを保持させれば済むので、作業性が向上する。
【００１０】
また、本発明の電子機器では、前記ケーブル挿入部は、前記端子カバーの外部に向けて開口するケーブル入口と、前記端子カバーの内部に向けて開口するケーブル出口と、前記ケーブル入口から挿入された前記ケーブルを前記ケーブル出口へ案内する案内ダクトを備え、前記案内ダクトは、前記端子カバーのカバー壁と、前記カバー壁の外側を覆う筒状の筒壁で構成され、前記複数のケーブルガイドのうち、第１のケーブルガイドは、前記ケーブル挿入部のケーブル入口の近傍に配置された構成を有している。
【００１１】
この構成により、ケーブル挿入部のケーブル入口からケーブルを挿入するときに、第１のケーブルガイドの保持レーンでケーブルを保持させる。この場合、第１のケーブルガイドがケーブル入口の近傍に配置されているので、ケーブルを保持レーンに保持させる作業が容易である。そして、ケーブル入口から挿入されたケーブルは、カバー壁と筒壁で構成された案内ダクトの内部を通ってケーブル出口まで案内される。これにより、ケーブルをケーブル挿入部に挿通する作業が容易になる。また、第１のケーブルガイドがケーブル挿入部のケーブル入口の近傍に配置されているので、比較的大きい異物（例えば、虫など）がケーブル挿入部のケーブル入口から入ろうとしても、第１のケーブルガイドによって異物が入るのが阻害される。これにより、ケーブル挿入部から異物が入るのを抑えることができる。
【００１２】
また、本発明の電子機器では、前記第１のケーブルガイドは、前記ケーブル挿入部のケーブル入口側において前記カバー壁に配置され、前記複数のケーブルガイドのうち、第２のケーブルガイドは、前記ケーブル挿入部のケーブル出口側において前記筒壁に配置された構成を有している。
【００１３】
この構成により、第１のケーブルガイドと第２のケーブルガイドに保持されたケーブルには、ケーブル入口側が低くなりケーブル出口側が高くなる逆勾配が形成される。したがって、ケーブルに水が付着した場合であっても、水がケーブルを伝ってケーブル出口側へ流れるのを防ぐことができる。これにより、ケーブルを伝って水が入るのを抑えることができる。
【００１４】
また、本発明の電子機器では、前記案内ダクトを構成する前記ケーブル入口側から前記ケーブル出口側へ向けて高くなる逆勾配部が設けられた構成を有している。
【００１５】
この構成により、ケーブル挿入部から水が入ろうとした場合であっても、水がケーブル入口側からケーブル出口側へ向けて流れ込むのを防ぐことができる。これにより、ケーブル挿入部から水が入るのを抑えることができる。
【００１６】
また、本発明の電子機器では、前記保持レーンは、並設された複数の保持レーン板で構成され、前記保持レーン板は、隣接する前記保持レーン板の間隔が前記ケーブルの径より大きく設定され、前記ケーブルが挿通可能なケーブル保持部と、隣接する前記保持レーン板の間隔が前記ケーブルの径より小さく設定され、挿通された前記ケーブルが抜けるのを防止するケーブル抜け防止部と、を備えた構成を有している。
【００１７】
この構成により、ケーブルが保持レーン板の間に挟みこまれて保持される。この場合、ケーブルは保持レーン板のケーブル保持部によって保持される。このケーブル保持部では、保持レーン板の間隔がケーブルの径より大きく設定されているので、ケーブル保持部にケーブルを容易に挿通することができる。また、保持レーン板には、ケーブル抜け防止部が設けられている。このケーブル抜け防止部では、保持レーン板の間隔がケーブルの径より小さく設定されているので、ケーブル保持部からケーブルが抜けるのを防ぐことができる。また、従来は、太さの異なるケーブルを保持させる場合には、各ケーブルの太さに応じた線材保持具を用意する必要があり、その分だけ部品点数が増加し、部品管理に手間がかかった。これに対して、本発明では、ケーブルの径（太さ）が多少異なる場合であっても、保持レーン板の間隔がケーブルの径より大きい限り、ケーブル保持部にケーブルを容易に挿通することができ、保持レーン板の間隔がケーブルの径より小さい限り、ケーブル保持部からケーブルが抜けるのを防ぐことができる。
【００１８】
また、本発明の電子機器では、前記保持レーン板のケーブル保持部は、前記ケーブルが屈曲したときに当接する当接部分に丸角形状部を備えた構成を有している。
【００１９】
この構成により、ケーブルがケーブル保持部に保持された状態で屈曲すると、屈曲したケーブルは、ケーブル保持部の丸角形状部に当接する。したがって、ケーブルが屈曲して配線された場合であっても、ケーブル保持部の当接部分でケーブルに過度の負荷がかかるのを抑えることができる。
【発明の効果】
【００２０】
本発明は、本体と端子カバーの一方または両方に、ケーブル挿入部から接続端子までの配線経路に沿って配置された複数のケーブルガイドを設けることにより、ケーブルの配線作業を行う際にケーブルを保持させるときの作業性が向上し、ケーブルを配線経路に沿って容易に配線することができるという効果を有する電子機器を提供することができるものである。
【発明を実施するための最良の形態】
【００２１】
以下、本発明の実施の形態の電子機器について、図面を用いて説明する。本実施の形態では、電子機器がネットワークスピーカ用のアンプ等である場合を例示する。
【００２２】
本発明の実施の形態のネットワークスピーカ用アンプを図１〜図１０に示す。まず、図１〜図５を用いてネットワークスピーカ用アンプ１の全体の構成を説明する。図１および図２は、ネットワークスピーカ用アンプ１の斜視図である。図３は、ネットワークスピーカ用アンプ１の分解斜視図である。図４および図５は、ネットワークスピーカ用アンプ１の断面図である。
【００２３】
図１〜図３に示すように、ネットワークスピーカ用アンプ１の本体２は、本体ケース３と、本体ケース３の内部に取り付けられる基板４を備えている。本体ケース３は、底板５と、底板５に取り付けられる左右一対の放熱部材６を備えている。放熱部材６の内側面には、基板４を取り付けるための取付け段部７が設けられている。放熱部材６はフランジ部８を有しており、フランジ部８には、所定の設置箇所（天井裏など）に本体２を取り付けるための取付け孔９が設けられている。
【００２４】
基板４には、接続端子１０を有する部品が実装されている。本体ケース３には、接続端子１０に対応する位置に、外部に向けて開口する端子窓１１が設けられている（図３参照）。基板４が本体ケース３の内部に取り付けられた状態で、基板４に実装された接続端子１０は本体ケース３の端子窓１１から外部に露出している（図１参照）。
【００２５】
本体ケース３には、接続端子１０を覆う端子カバー１２を取り付けるためのカバー取付け部１３が設けられている。そして、本体ケース３のカバー取付け部１３には、ヒンジ１４を介して端子カバー１２が１８０°開閉自在に取り付けられている。本体カバーを１８０°開いた状態では、接続端子１０が外部に露出している（図１参照）。また、本体カバーを閉じた状態では、接続端子１０が外部に露出しないように端子カバー１２によって覆われている（図２参照）。
【００２６】
端子カバー１２には、接続端子１０に接続されるケーブル１５を挿入するためのケーブル挿入部１６が設けられている。ケーブル挿入部１６は、端子カバー１２の外部に向けて開口するケーブル入口１７と、端子カバー１２の内部に向けて開口するケーブル出口１８と、ケーブル入口１７から挿入されたケーブル１５をケーブル出口１８へ案内する案内ダクト１９を備えている。この案内ダクト１９は、端子カバー１２のカバー壁２０の外側面と、カバー壁２０の外側面を覆う筒状の筒壁２１で構成されている。この場合、カバー壁２０で構成された端子カバー１２の外側に、筒壁２１で構成されたケーブル挿入部１６が付設されているともいえる。
【００２７】
図４に示すように、ケーブル入口１７は、設置面に向けて（図４において下向きに）開口しており、ケーブル出口１８は、設置面に沿って（図４において右向きに）開口している。そして、案内ダクト１９は、ケーブル入口１７からケーブル出口１８までを案内するように９０°屈曲している。この場合、ケーブル挿入部１６が、９０°屈曲したノーズ形状を有しているともいえる。
【００２８】
端子カバー１２のケーブル挿入部１６には、ケーブル入口１７からケーブル出口１８までの配線経路に沿って、二つのケーブルガイド２２（第１のケーブルガイド２２Ａと第２のケーブルガイド２２Ｂ）が設けられている。また、本体ケース３のカバー取付け部１３には、接続端子１０までの配線経路に沿って、二つのケーブルガイド２２（第３のケーブルガイド２２Ｃと第４のケーブルガイド２２Ｄ）が設けられている。
【００２９】
図４および図５に示すように、第１のケーブルガイド２２Ａは、ケーブル挿入部１６のケーブル入口１７側において、端子カバー１２のカバー壁２０の外側面に配置されている。この第１のケーブルガイド２２Ａは、ケーブル入口１７の近傍に配置されているともいえる。一方、第２のケーブルガイド２２Ｂは、ケーブル挿入部１６のケーブル出口１８側において、筒壁２１の内側面に配置されている。したがって、図５に示すように、端子カバー１２を上にした状態で、ネットワークスピーカ用アンプ１を垂直面に取り付けた場合には、第１のケーブルガイド２２Ａの位置が、第２のケーブルガイド２２Ｂの位置よりも低くなる。
【００３０】
また、本実施の形態では、ケーブル挿入部１６を構成するカバー壁２０には、ケーブル入口１７側からケーブル出口１８側へ向けて高くなる逆勾配部が設けられている。図５に示した例では、ケーブル入口１７側からケーブル出口１８側へ向けて（図５における左側から右側へ向けて）、水平基準面Ｌに対する高さが高くなる逆勾配部が設けられている。
【００３１】
図１に示すように、本体ケース３のカバー取付け部１３は、垂直面部２３と水平面部２４で構成されており、側面視Ｌ字状である。そして、第３のケーブルガイド２２Ｃは、カバー取付け部１３の垂直面部２３に設けられ、第４のケーブルガイド２２Ｄは、カバー取付け部１３の水平面部２４に設けられている。
【００３２】
このように、第１〜第４のケーブルガイド２２Ａ〜２２Ｄは、複雑に屈曲した配線経路に沿って配置されている。本実施の形態では、第１〜第４のケーブルガイド２２Ａ〜２２Ｄ（またはその近傍）には、ケーブル１５を配線する再の作業手順の表示（配線作業の順序を示す表示）が付されている。
【００３３】
また、本実施の形態の本体ケース３には、図４に示すように、本体ケース３と端子カバー１２の境目から入りこんだ水を、本体ケース３の外部に排出するための排水溝２５が設けられている。
【００３４】
つぎに、図６〜図１０を用いてケーブルガイド２２の構成について説明する。図６は、端子カバー１２の第２のケーブルガイド２２Ｂの斜視図である。図７は、本体ケース３の第３のケーブルガイド２２Ｃの斜視図であり、図８は、第４のケーブルガイド２２Ｄの斜視図である。図９および図１０は、ケーブルガイド２２の断面図である。
【００３５】
図６〜図８に示すように、ケーブルガイド２２は、並設された複数の保持レーン板２６で構成された保持レーン２７を複数有している。この保持レーン２７は、挿通したケーブル１５を保持するレーンである。保持レーン板２６は、平板状のケーブル保持部２８と、略円柱状のケーブル抜け防止部２９を備えている。
【００３６】
図９に示すように、ケーブル保持部２８では、隣接する保持レーン板２６の間隔がケーブル１５の径より大きく設定されており、ケーブル１５が挿通可能となっている。また、ケーブル抜け防止部２９では、隣接する保持レーン板２６の間隔がケーブル１５の径より小さく設定されており、挿通されたケーブル１５が抜けるのを防止できるようになっている。
【００３７】
図７および図８に示すように、ケーブル保持部２８の一端には、円弧板状の延設保持部３０が設けられている。図１０に示すように、延設保持部３０の厚さは、ケーブル保持部２８の厚さよりも薄くなるように設定されている。ケーブル保持部２８の延設保持部３０の端部（図１０における右端）とケーブル保持部２８の端部（図１０における左端）は、ケーブル１５が屈曲したときに当接する当接部分であり、この部分に丸角形状部３１（Ｒ形状部）が形成されている。
【００３８】
以上のように構成されたネットワークスピーカ用アンプ１にケーブル１５を配線するときの動作を説明する。
【００３９】
本実施の形態のネットワーク用スピーカアンプ１にケーブル１５を配線するときには、まず、図１に示すように、端子カバー１２を１８０°開いた状態にする。そして、ケーブル挿入部１６のケーブル入口１７から、第１のケーブルガイド２２Ａの所定の保持レーン２７にケーブル１５を挿入する。具体的には、第１のケーブルガイド２２Ａの所定の二つの保持レーン板２６の間にケーブル１５を挿入する。
【００４０】
第１のケーブルガイド２２Ａに挿入されたケーブル１５は、案内ダクト１９によってケーブル出口１８へ案内されて、第２のケーブルガイド２２Ｂの所定の保持レーン２７に挿入される。そして、第２のケーブルガイド２２Ｂに挿入されたケーブル１５を、ケーブル挿入部１６のケーブル出口１８から出す。このようにして、端子カバー１２のケーブル挿入部１６に挿入されたケーブル１５を、第１および第２ケーブルガイド２２Ａ、２２Ｂで保持する。
【００４１】
つぎに、ケーブル挿入部１６のケーブル出口１８から出したケーブル１５を、本体ケース３の垂直面部２３の第３のケーブルガイド２２Ｃに上側から挿通する。このようにして、第３のケーブルガイド２２Ｃでケーブル１５を保持する。その後、第３のケーブルガイド２２Ｃに保持されたケーブル１５を、本体ケース３の水平面部２４の第４のケーブルガイド２２Ｄに垂直面部２３側（図４における右側）から挿通する。このようにして、第４のケーブルガイド２２Ｄでケーブル１５を保持する。
【００４２】
上記のようなケーブル１５の配線作業は、ケーブルガイド２２（またはその近傍）に付された作業手順の表示（例えば、ケーブル１５をケーブルガイド２２に通す順番や向きなどの表示）に従って行われる。
【００４３】
最後に、第１〜第４のケーブルガイド２２Ａ〜２２Ｄで保持されたケーブル１５を、本体ケース３の窓部から露出している接続端子１０に接続する。このようにして、ネットワークスピーカ用アンプ１にケーブル１５を配線する作業が完了する。配線されたケーブル１５は、第１〜第４のケーブルガイド２２Ａ〜２２Ｄによって配線経路に沿って保持される。
【００４４】
このような発明の実施の形態のネットワークスピーカ用アンプ１によれば、本体２と端子カバー１２の一方または両方に、ケーブル挿入部１６から接続端子１０までの配線経路に沿って配置された第１〜第４のケーブルガイド２２Ａ〜２２Ｄを設けることにより、ケーブル１５を保持させるときの作業性が向上し、ケーブル１５を配線経路に沿って容易に配線することができる。
【００４５】
すなわち、本実施の形態では、第１〜第４のケーブルガイド２２Ａ〜２２Ｄが配線経路に沿って配置されている。したがって、第１〜第４のケーブルガイド２２Ａ〜２２Ｄに順番にケーブル１５を取り付けることにより、ケーブル１５を配線経路に沿って容易に配線することができる。この場合、ケーブル１５がケーブルガイド２２の保持レーン２７によって保持されるので、従来のような線材保持具を別途用意する必要がなく、線材保持具の分だけ部品点数が少なくて済み、部品管理の手間を削減することができる。また、従来のように予め線材保持具をケーブル１５に取り付けて、取り付け位置を調節する必要がなく、保持レーン２７にケーブル１５を保持させれば済むので、作業性が向上する。
【００４６】
上記のように、第１〜第４のケーブルガイド２２Ａ〜２２Ｄに作業手順の表示が付されているので、配線経路が複雑な場合であっても、作業者は表示に従って容易に配線作業を行うことができる。また、ケーブルガイド２２に作業手順を表示することにより、配線作業の作業手順を統一することができ、作業の標準化を図ることができる。
【００４７】
また、ケーブル１５が第１〜第４のケーブルガイド２２Ａ〜２２Ｄによって保持されているので、ケーブル１５が引っ張られてしまった場合に、ケーブル１５の引っ張りによる負荷が、第１〜第４のケーブルガイド２２Ａ〜２２Ｄに分散し、引っ張りによる負荷が接続端子１０に直接かかるのを抑えることができる。特に、複雑に屈曲した配線経路に沿って第１〜第４のケーブルガイド２２Ａ〜２２Ｄが配置されている場合には、ケーブル１５の引っ張りによる負荷を、第１〜第４のケーブルガイド２２Ａ〜２２Ｄにより効率よく分散することができる。
【００４８】
また、本実施の形態では、各ケーブルガイド２２が複数の保持レーン２７を有しているので、複数本のケーブル１５を配線経路に沿ってまとめて保持することができる。つまり、従来のように、複数本のケーブル１５を保持するために線材保持具を複数個用意する必要がない。したがって、その分だけ部品点数が少なくて済み、部品管理の手間を削減することができる。また、従来のように、複数の線材保持具をケーブル１５に取り付けて、それぞれ取り付け位置を調節する必要がない。つまり、本実施の形態では、複数の保持レーン２７にケーブル１５を保持させれば済むので、作業性が向上する。
【００４９】
また、本実施の形態では、ケーブル挿入部１６のケーブル入口１７からケーブル１５を挿入するときに、第１のケーブルガイド２２Ａの保持レーン２７でケーブル１５を保持させる。この場合、第１のケーブルガイド２２Ａがケーブル入口１７の近傍に配置されているので、ケーブル１５を保持レーン２７に保持させる作業が容易である。そして、ケーブル入口１７から挿入されたケーブル１５は、カバー壁２０と筒壁２１で構成された案内ダクト１９の内部を通ってケーブル出口１８まで案内される。これにより、ケーブル１５をケーブル挿入部１６に挿通する作業が容易になる。
【００５０】
ネットワークスピーカ用アンプ１は、天井裏などに設置されるので、虫などがケーブル入口１７から入ってしまい、その虫などの異物が故障の原因になるおそれがある。本実施の形態では、第１のケーブルガイド２２Ａがケーブル挿入部１６のケーブル入口１７の近傍に配置されているので、比較的大きい異物（例えば、虫など）がケーブル挿入部１６のケーブル入口１７から入ろうとしても、第１のケーブルガイド２２Ａによって異物が入るのが阻害される。これにより、ケーブル挿入部１６から異物が入るのを抑えることができる。
【００５１】
また、ネットワークスピーカ用アンプ１は、天井裏などに設置されるので、結露した水がケーブル１５を伝って内部に入りこみ、その水が故障の原因になるおそれがある。本実施の形態では、第１のケーブルガイド２２Ａと第２のケーブルガイド２２Ｂに保持されたケーブル１５には、ケーブル入口１７側が低くなりケーブル出口１８側が高くなる逆勾配が形成される。したがって、ケーブル１５に水が付着した場合であっても、水がケーブル１５を伝ってケーブル出口１８側へ流れるのを防ぐことができる。これにより、ケーブル１５を伝って水が入るのを抑えることができる。
【００５２】
また、ネットワークスピーカ用アンプ１は、天井裏などに設置されるので、結露した水が、ケーブル挿入部１６から入ってしまい、その水が故障の原因になるおそれがある。本実施の形態では、カバー壁２０に逆勾配部が設けられている。したがって、ケーブル挿入部１６から水が入ろうとした場合であっても、水がケーブル入口１７側からケーブル出口１８側へ向けて流れ込むのを防ぐことができる。これにより、ケーブル挿入部１６から水が入るのを抑えることができる。
【００５３】
また、本実施の形態では、ケーブル１５が保持レーン板２６の間に挟みこまれて保持される。この場合、ケーブル１５は保持レーン板２６のケーブル保持部２８によって保持される。このケーブル保持部２８では、保持レーン板２６の間隔がケーブル１５の径より大きく設定されているので、ケーブル保持部２８にケーブル１５を容易に挿通することができる。また、保持レーン板２６には、ケーブル抜け防止部２９が設けられている。このケーブル抜け防止部２９では、保持レーン板２６の間隔がケーブル１５の径より小さく設定されているので、ケーブル保持部２８からケーブル１５が抜けるのを防ぐことができる。
【００５４】
また、従来は、太さの異なるケーブル１５を保持させる場合には、各ケーブル１５の太さに応じた線材保持具を用意する必要があり、その分だけ部品点数が増加し、部品管理に手間がかかった。これに対して、本発明では、ケーブル１５の径（太さ）が多少異なる場合であっても、保持レーン板２６の間隔がケーブル１５の径より大きい限り、ケーブル保持部２８にケーブル１５を容易に挿通することができ、保持レーン板２６の間隔がケーブル１５の径より小さい限り、ケーブル保持部２８からケーブル１５が抜けるのを防ぐことができる。
【００５５】
また、本実施の形態では、ケーブル１５がケーブル保持部２８に保持された状態で屈曲すると、屈曲したケーブル１５は、ケーブル保持部２８の丸角形状部３１に当接する。したがって、ケーブル１５が屈曲して配線された場合であっても、ケーブル保持部２８の当接部分でケーブル１５に過度の負荷がかかるのを抑えることができる。例えば、ケーブル１５が引っ張られて場合であっても、ケーブル１５の屈曲した部分に過度の負荷がかかるのを抑制し、ケーブル１５が断線してしまうのを防ぐことができる。
【００５６】
また、端子カバー１２が本体ケース３に対して１８０°開いた状態で、ケーブル１５の配線作業を行うことができるので、作業するときに手元が見やすくなり、配線作業が容易である。
【００５７】
以上、本発明の実施の形態を例示により説明したが、本発明の範囲はこれらに限定されるものではなく、請求項に記載された範囲内において目的に応じて変更・変形することが可能である。
【産業上の利用可能性】
【００５８】
以上のように、本発明にかかる電子機器は、ケーブルの配線作業を行う際にケーブルを保持させるときの作業性が向上し、ケーブルを配線経路に沿って容易に配線することができるという効果を有し、ネットワークスピーカ用アンプ等として有用である。
【図面の簡単な説明】
【００５９】
【図１】本発明の実施の形態におけるネットワークスピーカ用アンプ（端子カバーを開いた状態）の斜視図
【図２】本発明の実施の形態におけるネットワークスピーカ用アンプ（端子カバーを閉じた状態）の斜視図
【図３】本発明の実施の形態におけるネットワークスピーカ用アンプの分解斜視図
【図４】本発明の実施の形態におけるネットワークスピーカ用アンプ（水平面に取り付けた状態）の断面図
【図５】本発明の実施の形態におけるネットワークスピーカ用アンプ（垂直面に取り付けた状態）の断面図
【図６】本発明の実施の形態におけるケーブルガイド（第２のケーブルガイド）の斜視図
【図７】本発明の実施の形態におけるケーブルガイド（第３のケーブルガイド）の斜視図
【図８】本発明の実施の形態におけるケーブルガイド（第４のケーブルガイド）の斜視図
【図９】本発明の実施の形態におけるケーブルガイドの断面図
【図１０】本発明の実施の形態におけるケーブルガイドの断面図
【符号の説明】
【００６０】
１  ネットワーク用スピーカアンプ
２  本体
３  本体ケース
１０  接続端子
１２  端子カバー
１３  カバー取付け部
１４  ヒンジ
１５  ケーブル
１６  ケーブル挿入部
１７  ケーブル入口
１８  ケーブル出口
１９  案内ダクト
２０  カバー壁
２１  筒壁
２２  ケーブルガイド
２２Ａ  第１のケーブルガイド
２２Ｂ  第２のケーブルガイド
２２Ｃ  第３のケーブルガイド
２２Ｄ  第４のケーブルガイド
２６  保持レーン板
２７  保持レーン
２８  ケーブル保持部
２９  ケーブル抜け防止部
３０  延設保持部
３１  丸角形状部
【図１】
2008047799.tif 000003
【図２】
2008047799.tif 000004
【図３】
2008047799.tif 000005
【図４】
2008047799.tif 000006
【図５】
2008047799.tif 000007
【図６】
2008047799.tif 000008
【図７】
2008047799.tif 000009
【図８】
2008047799.tif 000010
【図９】
2008047799.tif 000011
【図１０】
2008047799.tif 000012